(57)【要約】【課題】衝撃力の作用方向に関わりなく形状を維持して、収納された容器の損傷を極力防止することのできる容器保持体を提供する。【解決手段】容器Ｂをその両側部より挟み込んで保持する一対の保持体構成体２を備え、これらの保持体構成体のそれぞれが、外形を整える枠体２ａと、この枠体内に挿着されて、前記容器の側面に対峙させられる複数の保持部材２ｂとからなり、これらの保持部材が、板状に形成されているとともに、前記枠体の内部に格子状に組み込まれ、かつ、前記容器の側面に対峙させられる部位に、前記容器がその外面の略半周に亙って嵌合させられる凹部Ｄが形成されている。【選択図】図１
2017171312.tif 000002
【特許請求の範囲】
【請求項１】
容器をその両側部より挟み込んで保持する一対の保持体構成体を備え、これらの保持体構成体のそれぞれが、外形を整える枠体と、この枠体内に挿着されて、前記容器の側面に対峙させられる複数の保持部材とからなり、これらの保持部材が、板状に形成されているとともに、前記枠体の内部に格子状に組み込まれ、かつ、前記容器の側面に対峙させられる部位に、前記容器がその外面の略半周に亙って嵌合させられる凹部が形成されていることを特徴とする容器保持体。
【請求項２】
前記枠体が中空状に形成されているとともに、前記保持部材が、前記枠体の両開口部を結ぶ方向に沿うように組み込まれていることを特徴とする請求項１に記載の容器保持体。
【請求項３】
前記保持部材が、木材を厚み方向に加熱圧密して硬質化した圧密成形板であることを特徴とする請求項１または請求項２に記載の容器保持体。
【請求項４】
前記両保持体構成体が、前記容器を挟み込んで保持した状態において、その外周を取り囲んで配置される結束帯によって一体化されるようになされていることを特徴とする請求項１ないし請求項３の何れかに記載の容器保持体。
【請求項５】
請求項１または請求項４に記載の容器保持体と、この容器保持体が容器を挟み込んだ状態で収納される外箱とを備えていることを特徴とする容器用包装体。
【請求項６】
前記外箱が、前記容器保持体を収納する開口部と、この開口部を開閉する蓋体とを備えていることを特徴とする請求項５に記載の容器用包装体。
【発明の詳細な説明】
【技術分野】
【０００１】
本発明は容器保持体に係わり、特に、容器を保持した状態において、その容器の不要な動きを拘束するようにした容器保持体に関するものである。
【背景技術】
【０００２】
一般に、お酒やワインの容器、特に、ガラスによって形成された容器を持ち運ぶ際には、この容器が衝撃によって割れてしまうことを防止する目的で、この容器を容器保持体によって包み込むことが行なわれている。
【０００３】
このような容器保持体の一従来例として、たとえば、特許文献１に示される構造のものが提案されている。
【先行技術文献】
【特許文献】
【０００４】
【特許文献１】実開平５−５４２４１号公報
【発明の概要】
【発明が解決しようとする課題】
【０００５】
前述した特許文献１に示される容器保持体は、横側壁と縦側壁からなる本体枠内に、載置片を前記本体枠の長さ方向と直角になるように嵌装し、垂直に起立した前記載置片に凹部を形成して、この凹部に包装物品を載置しうるように構成した構成となっている。
【０００６】
このような構成によって、前記載置片によって前記物品の側部を保持して、この物品の不要な動きを拘束し、これによって、前記物品を衝撃から保護することが期待できる。
【０００７】
すなわち、この容器保持体では、前記物品と直交する方向への衝撃力、すなわち、前記載置片の面方向に沿った衝撃力が作用した場合には、前記本体枠の形状が維持されて、内部の物品を保護することが期待できる。
【０００８】
しかしながら、前記載置片の斜め方向からの衝撃力が作用した場合、前記載置片が前記本体枠に対して倒れてしまい、前記本体枠の形状が変形してしまうことが想定される。
【０００９】
そして、前記本体枠が変形してしまうと、収納した物品に衝撃力が加わって、この物品を傷つけてしまうことが想定される。
【００１０】
本発明は、このような従来において残されている問題点に鑑みてなされたもので、衝撃力の作用方向に関わりなく形状を維持して、収納された容器の損傷を極力防止することのできる容器保持体を提供することを解決すべき課題とする。
【課題を解決するための手段】
【００１１】
本発明の容器保持体は、前述した課題を解決するために、容器をその両側部より挟み込んで保持する一対の保持体構成体を備え、これらの保持体構成体のそれぞれが、外形を整える枠体と、この枠体内に挿着されて、前記容器の側面に対峙させられる複数の保持部材とからなり、これらの保持部材が、板状に形成されているとともに、前記枠体の内部に格子状に組み込まれ、かつ、前記容器の側面に対峙させられる部位に、前記容器がその外面の略半周に亙って嵌合させられる凹部が形成されていることを特徴としている。
【００１２】
このような構成とすると、前記保持部材が、前記枠体の内部に格子状に組み込まれることにより、前記枠体内に、前記保持部材によって略トラス構造が形成される。
【００１３】
そして、前記一対の保持体構成体によって前記容器を挟み込むことにより、容器保持体によって、前記容器が包み込まれるようにして保持される。
【００１４】
ここで、前記枠体に外力が加わった場合、この外力の作用方向に拘わらず、この外力が前記保持部材や枠体にその面方向に作用する。
したがって、これらの枠体や保持部材の変形が抑制される。
【００１５】
この結果、前記枠体および保持部材の変形が抑制されて、これらの形状が維持され、これらの内部に保持されている容器へ外力が作用してしまうことが抑制され、保持されている容器の損傷を抑制することができる。
【００１６】
好適には、前記枠体を中空状に形成するとともに、前記保持部材を、前記枠体の両開口部を結ぶ方向に沿うように組み込む。
【００１７】
このような構成とすることにより、前記枠体内に、前記保持部材によって囲まれた多数の窓が形成される。
ここで、前記容器を、前記一対の保持体構成体によって挟み込むようにして保持した状態において、前記容器を、前記多数の窓を介して視認することができる。
【００１８】
また、内部の容器を視認することができることを利用して、前記容器保持体を、前記容器のディスプレイとして利用することもできる。
【００１９】
また、前記保持部材を、木材を厚み方向に加熱圧密して硬質化した圧密成形板によって形成することもできる。
【００２０】
このような構成とすることにより、前記保持部材の強度を確保することができるとともに、木の香りによる嗅覚的な効果を期待することができる。
【００２１】
また、前記両保持体構成体を、前記容器を挟み込んで保持した状態において、その外周を取り囲んで配置される結束帯によって一体化しておくこともできる。
【００２２】
このような構成とすることにより、たとえば、前記容器保持体および容器を立てて運んだり陳列したりした場合でも、前記両保持体構成体の離脱を防止して、前記容器の保持状態を維持することができる
【００２３】
そして、前記容器を挟み込んだ状態の前記容器保持体を外箱に収納することにより、前記容器保持体による容器の保持機能を維持した容器用包装体とすることができる。
【００２４】
ここで、外箱に、前記容器保持体を収納する開口部と、この開口部を開閉する蓋体と設けておくことにより、前記容器保持体の収納および取り出しを容易にするとともに、収納状態において、前記容器保持体および前記容器を覆って、前記外箱による意匠効果を得ることができる。
【００２５】
そして、前記外箱や蓋体の何れか一方若しくは両方の外面の模様等を変更することによって、その意匠効果を容易に調整することができ、この結果、収納する容器にあわせた意匠とすることができる。
【発明の効果】
【００２６】
本発明によれば、容器を保持する構造物に外力が加わった場合にあっても、この構造物の変形を防止して、前記容器の保持を効果的に行なうとともに、この容器の損傷を防止することができる。
【図面の簡単な説明】
【００２７】
【図１】本発明の一実施形態を示すもので、保持体構成体を開いた状態を示す斜視図である。
【図２】本発明の一実施形態を示すもので、保持体構成体の斜視図である。
【図３】本発明の一実施形態を示すもので、保持部材の正面図である。
【図４】本発明の一実施形態を示すもので、保持部材の正面図である。
【図５】本発明の一実施形態を示すもので、保持部材の組み立て手順を示す斜視図である。
【図６】本発明の一実施形態を示すもので、枠体の縦断面図である。
【図７】本発明の一実施形態を示すもので、保持体構成体によって容器を保持した状態を示す斜視図である。
【図８】本発明の一実施形態の保持体が収納される外箱を示す分解斜視図である。
【図９】図８に示す外箱の使用方法を説明するための斜視図である。
【発明を実施するための形態】
【００２８】
以下、本発明の一実施形態について図面を参照して説明する。
これらの図において符号Ｂは、本発明の容器保持体１によって保持される容器を示す。
【００２９】
この容器保持体１は、前記容器Ｂをその両側部より挟み込んで保持する一対の保持体構成体２を備え、これらの保持体構成体２のそれぞれが、外形を整える枠体２ａと、この枠体２ａ内に挿着されて、前記容器Ｂの側面に対峙させられる複数の保持部材２ｂとからなり、これらの保持部材２ｂが、板状に形成されているとともに、前記枠体２ａの内部に格子状に組み込まれ、かつ、前記容器Ｂの側面に対峙させられる部位に、前記容器Ｂがその外面の略半周に亙って嵌合させられる凹部Ｄが形成された構成となっている。
【００３０】
前記各保持部材２ｂは、図３および図４に示すように、略矩形状に形成されており、その四隅が切り欠かれることによって係合片３が形成されている。
【００３１】
そして、各保持部材２ｂは、２枚を一組として略十字状に組み上げられるもので、組み上げられる一方の保持部材２ｂの、前記凹部Ｄが形成されていない辺（下縁と称す）には、図３に示すように、その中間位置において下方へ開口する嵌合凹部４が形成されている。
また、組み上げられる他方の保持部材２ｂの、前記凹部Ｄが形成されている辺（上縁と称す）には、図４に示すように、その中間位置において、上方へ開口する嵌合凹部５が形成されている。
【００３２】
そして、この一組の保持部材２ｂは、上方へ開口する嵌合凹部５が形成された前記保持部材２ｂに対して、下方へ開口する嵌合凹部４が形成された保持部材２ｂを、図５に矢印で示すように、前記嵌合凹部５と前記嵌合凹部４とを重畳させるように噛み合わせることにより、十字状に組み付けられるようになっている。
【００３３】
さらに、下方へ開口する嵌合凹部４が形成された保持部材２ｂの下縁には、前記嵌合凹部４を挟んだ両側に、下方へ開口する連結凹部６が形成されている。
また、上方へ開口する嵌合凹部５が形成された保持部材２ｂの上縁には、前記凹部Ｄを挟んだ両側に、上方へ開口する連結凹部７が形成されている。
【００３４】
一方、前記枠体２ａは、平面視で長方形状の箱に形成され、その上下（図６における上下）面が開口された形状となされている。
【００３５】
そして、前記上下の開口部の内周には、図６に示すように、全周にわたって係止片８が形成されており、これら上下の係止片８間に前記各保持部材２ｂの両側部に形成されている前記係合片３が係合させられるようになっている。
【００３６】
さらに、前記各枠体２ａの外面の各辺の中間部に、上下方向に沿った浅溝９が形成されている。
【００３７】
前述したように前記保持部材２ｂは、２枚を一組として組み上げられ、この複数組みを前記枠体２ａの内側に、この枠体２ａの長さ方向に順次組み付けることによって、本実施形態における保持体構成体２が組み上げられる。
【００３８】
ここで、前記保持部材２ｂは、その両側の係合片３が前記枠体２ａの係止片８間に係合させられることにより、この枠体２ａの両開口を結ぶ方向への移動が拘束される。
【００３９】
また、隣接する各組みの前記保持部材２ｂ間において、一方の組みの上方に位置させられる保持部材２ｂに形成されている下方へ開口する連結凹部６が、他方の組みの下方に位置させられる保持部材２ｂに形成されている上方へ開口する連結凹部７へ噛み合わされる。
【００４０】
これによって、隣り合う組みどうしの保持部材２ｂが連結され、これらの保持部材２ｂが、前記枠体２ａ内において格子状に連結される。
【００４１】
そして、前述したように前記保持部材２ｂが前記枠体２ａに組み込まれた状態において、前記各保持部材２ｂに形成されている凹部Ｄを結んで得られる仮想面が、保持される容器Ｂを縦に二つ割りした際の外形形状とほぼ等しくなるように、前記各凹部Ｄの形状が設定されている。
【００４２】
このように構成された本実施形態に係わる容器保持体１は、図１に示すように、前記容器Ｂを、一方の前記保持体構成体２内に挿入して、その内部に組み込まれている前記保持部材２ｂの凹部Ｄに支持させる。
この状態において、前記容器Ｂの外面の約半周が、多数の前記保持部材２ｂによって支持される。
【００４３】
ついで、一方の前記保持体構成体２に、他方の保持体構成体２を付き合わせるようにして被せる。
これによって、前記容器Ｂの露出した約半周の外面が、前記他の保持体構成体２によって覆われるとともに、その内部の多数の保持部材２ｂによって支持される。
【００４４】
したがって、前記容器Ｂは、図７に示すように、その全周にわたって、両保持体構成体２の多数の前記保持部材２ｂによって挟み込まれるようにして保持される。
【００４５】
そして、前述したように、前記容器Ｂを保持する容器保持体１は、前記枠体２ａ内に前記保持部材２ｂが格子状に組み込まれてトラスが形成されていることから、外力を受けた場合の強度が高く、その変形が極めて小さい。
【００４６】
したがって、前記容器保持体１によって保持されている前記容器Ｂに外力が作用することが抑制されて、その損傷を防止することができる。
【００４７】
また、前記容器Ｂを保持する前記保持部材２ｂが格子状に組まれていることから、前記容器Ｂが外部から視認でき、これを利用して前記容器保持体１を前記容器Ｂのディスプレイとして用いることができる。
【００４８】
さらに、図７に鎖線で示すように、付き合わされている前記両保持体構成体２を、紐や帯等の結束帯１０によって縛ることにより、前記両保持体構成体２を一体化することもできる。
これによって、前記容器Ｂを立てて展示することが可能となる。
【００４９】
そして、前記結束帯１０は、前記枠体２ａに形成されている前記浅溝９に沿わせることにより、前記枠体２ａの外面より内側に位置させることができる。
【００５０】
このように、前記結束帯１０を前記枠体２ａの外面より内側に位置させると、前記容器保持体１を化粧箱等の外箱内に入れて容器用包装体とする際に好適である。
【００５１】
図８は、前記外箱の一構造例を示す。
この図において符号１１で示す外箱は、前記容器保持体１の平面視での外形形状とほぼ等しいか若干大きめの断面形状を有し、かつ、前記容器保持体１の高さよりも深い収納空間１２ａが形成され、上面が開口された収納箱本体１２と、この収納箱本体１２の開口部を開閉可能に設けられた蓋体１３とによって構成されている。
【００５２】
前記収納箱本体１２の開口部内周には、上面から所定距離をおいた位置に周溝１２ｂが形成されている。
また、前記収納箱本体１２は、前記開口部が一つの短辺側において切り欠かれていることにより、前記周溝１２ｂが前記収納箱本体１２の側面側へ向けて開放されている。
【００５３】
前記蓋体１３は、上部が前記収納箱本体１２の平面視での外形形状と同形状に形成されており、その下部には、前記収納箱本体１２の開口部の形状と同形状か若干小さく形成された膨出部１３ａが形成されている。
【００５４】
また、前記膨出部１３ａの両側部には、前記収納箱本体１２の前記周溝１２ｂに、その開放部から係合させられる突条１３ｂが突設されている。
【００５５】
この外箱１１は、前記収納箱本体１２の収納空間１２ａ内に、前記容器Ｂが保持され、かつ、前記結束帯１０によって固定された前記容器保持体１が挿入された後に、前記収納空間１２ａの開口を覆うようにして前記蓋体１３が装着されることにより、容器用包装体として用いられる。
【００５６】
ここで、前記容器保持体１を前記収納空間１２ａ内に収納する際に、前記容器保持体１を取り囲む前記結束帯１０が、前記外箱１１の外面に形成されている浅溝９に位置させられていることにより、前記結束帯１０が邪魔にならず、前記容器保持体１と前記外箱１１との隙間が小さく抑えられる。
したがって、前記容器保持体１が前記外箱１１とほぼ一体化され、前記容器保持体１の暴れが抑制される。
【００５７】
前記蓋体１３は、前記収納箱本体１２の開口の切り欠かれた短辺側に対向させた後に、前記両突条１３ｂを、前記周溝１２ｂのそれぞれに差し込むようにして前記収納箱本体１２に装着される。
【００５８】
このように蓋体１３を装着する際に、前記収納空間１２ａが前記容器保持体１の高さより深く形成されていることから、この容器保持体１を取り囲む前記結束帯１０との干渉が防止される。
したがって、前記蓋体１３の開閉操作が円滑に行なわれる。
【００５９】
なお、前記実施形態において示した各構成部材の諸形状や寸法等は一例であって、設計要求等に基づき種々変更可能である。
【００６０】
たとえば、前記構成部材の材質は、紙や合成樹脂に限らず、木を用いることも可能である。
木を用いることで、見た目の高級感を高めることができるばかりでなく、木の香りによる臭覚的な効果も期待できる。
【００６１】
そして、木を用いる場合、木材を厚み方向に加熱圧密して硬質化した圧密成形板を用いることが好ましい。
これによって、各構成部材の強度を高めることができる。
【００６２】
また、前記この外箱１１に透明な材料を用いその内部を透視可能な構成とすることも可能である。
さらに、前記両保持体構成体２間に、これらの保持体構成体２どうしを連結する連結手段を設けて、これらを直接連結することにより、前記結束帯１０を省略することも可能であり、前記結束帯１０として伸縮性のあるバンドを用いることも可能である。
【符号の説明】
【００６３】
１  容器保持体
２  保持体構成体
２ａ  枠体
２ｂ  保持部材
３  係合片
４  嵌合凹部
５  嵌合凹部
６  連結凹部
７  連結凹部
８  係止片
９  浅溝
１０  結束帯
１１  外箱
１２  収納箱本体
１２ａ  収納空間
１２ｂ  周溝
１３  蓋体
１３ａ  膨出部
１３ｂ  突条
Ｂ  容器
Ｄ  凹部
【図１】
2017171312.tif 000003
【図２】
2017171312.tif 000004
【図３】
2017171312.tif 000005
【図４】
2017171312.tif 000006
【図５】
2017171312.tif 000007
【図６】
2017171312.tif 000008
【図７】
2017171312.tif 000009
【図８】
2017171312.tif 000010
【図９】
2017171312.tif 000011